(57)【要約】【目的】箸の取り出しや洗浄が容易な箸箱を安価に提供する。【構成】箱体１６は、蓋体１８の閉塞面Ａから遠ざかる方向へ屈曲可能な屈曲部２４を有する。したがって、屈曲部２４を屈曲させることによって箱体１６に収容された箸１２の端部を箱体１６の外部へ露出させることができ、この露出された部分を手で持つことによって箸１２を容易に取り出すことができる。また、蓋体１８は、開口１４を閉じたときに屈曲部２４の突条２８ｂに係止される「係止部」としての条溝４２を有する。したがって、開口１４が閉じられたときには、屈曲部２４の屈曲が禁止され、箸１２が箱体１６の外部へ露出される心配はない。【選択図】　図９
2004113494.tif 000002
【特許請求の範囲】
【請求項１】
箸を出し入れするための開口を有する箱体と前記開口を閉塞する閉塞面を有する蓋体とを備え、前記箱体を前記閉塞面に対して平行方向にスライドさせることにより前記開口が開閉される箸箱であって、
前記箱体は、前記蓋体の閉塞面から遠ざかる方向へ屈曲可能な屈曲部を有し、
前記蓋体は、前記開口を閉じたときに前記屈曲部に係止されて前記屈曲部の屈曲を禁止する係止部を有する、箸箱。
【請求項２】
前記蓋体は、前記箱体のスライド方向に延びる条溝を有し、前記箱体は、前記条溝に摺動自在に嵌合される突条を有し、前記条溝の一部が前記係止部として前記屈曲部に設けられた前記突条に係止される、請求項１に記載の箸箱。
【請求項３】
前記屈曲部に前記条溝の側面を前記閉塞面とは反対側へ押圧する押圧部を設けた、請求項２に記載の箸箱。
【発明の詳細な説明】
【０００１】
【発明の属する技術分野】
この発明は、箸の取り出しが容易な箸箱に関する。
【０００２】
【従来の技術】
従来の箸箱としては、箱体の開口に取り付けられた蓋体をスライドさせることによって開口を開閉するようにしたものが周知であり、このようなスライド式の箸箱において、箸の取り出しを容易にするために工夫されたものが種々存在する（特許文献１および２参照）。
【０００３】
たとえば、特許文献１に記載された発明は、蓋に設けられた板バネで箸の一方端部を押すことによって他方端部を持ち上げるようにしたものであり、特許文献２に記載された発明は、ケースの内部に配置されたアシストアームによって箸の端部を持ち上げるようにしたものである。
【０００４】
【特許文献１】
実開平０１−１４１６７８号公報（第２図）
【特許文献２】
実開平０７−３０８４２号公報（図３）
【０００５】
【発明が解決しようとする課題】
特許文献１および２に記載された発明では、箸を持ち上げるための複雑な機構が必要なため、コスト高であるとともに洗浄が困難であるという問題があった。
【０００６】
それゆえに、この発明の主たる目的は、箸の取り出しや洗浄が容易な箸箱を安価に提供することである。
【０００７】
【課題を解決するための手段】
請求項１に記載した発明は、「箸１２を出し入れするための開口１４を有する箱体１６と開口１４を閉塞する閉塞面Ａを有する蓋体１８とを備え、箱体１６を閉塞面Ａに対して平行方向にスライドさせることにより開口１４が開閉される箸箱１０であって、箱体１６は、蓋体１８の閉塞面Ａから遠ざかる方向へ屈曲可能な屈曲部２４を有し、蓋体１８は、開口１４を閉じたときに屈曲部２４に係止されて屈曲部２４の屈曲を禁止する係止部４２を有する、箸箱１０」である。
【０００８】
この発明によれば、屈曲部２４を屈曲させることによって箱体１６の内部に収容された箸１２の端部を箱体１６の外部へ露出させることができる。したがって、この露出された部分を手で持つことによって箸１２を容易に取り出すことができる。また、蓋体１８で開口１４を閉じたときには、屈曲部１４の屈曲が禁止されるので、箸１２が箱体１６の外部へ露出されたり、箸１２が箱体１６から抜け落ちたりする心配はない。
【０００９】
請求項２に記載した発明は、請求項１に記載した発明において、「蓋体１８は、箱体１６のスライド方向に延びる条溝４２を有し、箱体１６は、条溝４２に摺動自在に嵌合される突条２８ａ，２８ｂを有し、条溝４２の一部が係止部として屈曲部２４に設けられた突条２８ｂに係止される」ことを特徴とする。
【００１０】
この発明において、蓋体１８の条溝４２は箱体１６のスライド方向へ延びているので、この条溝４２に箱体１６の突条２８ａ，２８ｂを摺動自在に嵌合させると、箱体１６のスライド動作が安定する。また、条溝４２の一部が係止部として機能するので、条溝４２とは別に係止部を設ける必要はない。
【００１１】
請求項３に記載した発明は、請求項２に記載した発明において、「屈曲部２４に条溝４２の側面を閉塞面Ａとは反対側へ押圧する押圧部３２を設けた」ことを特徴とする。
【００１２】
この発明において、押圧部３２が条溝４２の側面を閉塞面Ａとは反対側へ押圧すると、その押圧力の反作用によって屈曲部２４が閉塞面Ａ側へ押される。したがって、箱体１６の屈曲部２４と蓋体１８の閉塞面Ａとの間に隙間が生じる心配はない。
【００１３】
【発明の実施の形態】
図１〜図４を参照して、この発明が適用された箸箱１０は、箸１２（図５，図９）の取り出しが容易なように工夫されたものであり、箸１２を出し入れするための開口１４を有する箱体１６と、開口１４を閉塞する閉塞面Ａ（図４）を有する蓋体１８とによって構成される。そして、この箸箱１０においては、図２に示すように、箱体１６を閉塞面Ａに対して平行方向にスライドさせることにより箱体１６の開口１４が開閉される。
【００１４】
箱体１６は、図５および図６に示すように、箸１２を収容する収容空間２０ａを有する本体部２２と、箸１２を収容する収容空間２０ｂを有する屈曲部２４とを有し、本体部２２と屈曲部２４とが薄肉のヒンジ部２６を介して連結される。したがって、屈曲部２４は、図９に示すように、ヒンジ部２６において蓋体１８の閉塞面Ａから遠ざかる方向へ屈曲され得る。
【００１５】
また、本体部２２および屈曲部２４の側壁外面には、突条２８ａおよび２８ｂが箱体１６のスライド方向へ延びて形成される。屈曲部２４が屈曲されていない状態（図５）において、突条２８ａおよび２８ｂは直線状に連続され、屈曲部２４が屈曲された状態（図９）において、突状２８ａおよび２８ｂはヒンジ部２６を頂点として所定角度を成す。
【００１６】
そして、屈曲部２４の突条２８ｂにおいて、ヒンジ部２６の近傍における開口１４側の側面には、突起状の第１押圧部３０が形成され、第１押圧部３０から所定間隔を隔てた位置における開口１４とは反対側の側面には、突起状の第２押圧部３２が形成される。ここで、第１押圧部３０の頂点と第２押圧部３２の頂点との間隔Ｈ（図６）は、蓋体１８に設けられた条溝４２の幅よりもやや大きく設定される。したがって、第１押圧部３０および第２押圧部３２を条溝４２に嵌め込むと、これらが条溝４２の側面に押圧されて屈曲部２４の先端部が閉塞面Ａ側へ押し上げられる。
【００１７】
さらに、屈曲部２４の先端部には、その側壁の厚みを増すことによって把持部３４が形成され、把持部３４の外面には、指を掛けるための複数の溝３４ａが形成される。
【００１８】
なお、このような箱体１６は、ＰＰ（ポリプロピレン）等のような合成樹脂の射出形成によって一体に形成される。
【００１９】
蓋体１８は、図７および図８に示すように、箱体１６の開口１４を閉塞する閉塞面Ａを有する蓋板３６と、蓋板３６の幅方向両端部から閉塞面Ａに対して垂直に延びる２つの側板３８と、蓋板３６の長手方向一方端部から閉塞面Ａに対して垂直に延びる側板４０とによって構成される。
【００２０】
ただし、蓋板３６の長手方向他方端部においては、箱体１６の把持部３４を収めるスペースＳを確保するために側板３８および４０は形成されない。したがって、蓋体１８においては、スペースＳが確保された側の端部が箱体１６を挿し込むための挿口Ｅ（図３，図７）となる。
【００２１】
そして、各側板３８の互いに対向する面には、突条２８ａおよび２８ｂと摺動自在に嵌合される条溝４２が箱体１６のスライド方向へ延びて形成され、また、これらの面には、箱体１６のガタツキを防止するために、箱体１６の外側面に当接される突起状の当接部４４が形成される。
【００２２】
なお、このような蓋体１８は、ＡＳ（アクリロニトリル・スチレン）等のような合成樹脂の射出形成によって一体に形成される。
【００２３】
箸箱１０を組み立てる際には、図３に示すように、箱体１６および蓋体１８が準備され、蓋体１８に対して箱体１６が挿口Ｅから挿し込まれる。つまり、箱体１６の突条２８ａおよび２８ｂが蓋体１８の条溝４２に摺動自在に嵌合される。
【００２４】
箸箱１０に収容された箸１２を取り出す際には、図９に示すように、蓋体１８から箱体１６を引き出し、箱体１６の屈曲部２４をヒンジ部２６において閉塞面Ａから遠ざかる方向へ屈曲させる。すると、屈曲部２４内に収容された箸１２の端部が箱体１６の外部へ露出される。そこで、この露出された部分を手で持って箸１２を取り出す。
【００２５】
箸箱１０に箸１２を収容する際には、図９に示すように、屈曲部２４を屈曲させた状態で箱体１６内に箸１２を挿入する。そして、屈曲部２４の屈曲角を０度に戻しながら、箱体１６を蓋体１８に挿し込んでいく。すると、屈曲部２４の突条２８ｂが蓋体１６の条溝４２に嵌合され、開口１４が閉じられると同時に突条２８ｂに対して条溝４２が係止される。つまり、開口１４を閉じたときには、「係止部」としての条溝４２が屈曲部２４（突条２８ｂ）に係止されて屈曲部２４の屈曲が禁止される。
【００２６】
屈曲部２４の突条２８ｂが条溝４２に嵌合された状態では、第１押圧部３０が条溝４２の開口１４側の側面に押圧されるとともに、第２押圧部３２が条溝４２の開口１４とは反対側の側面に押圧される。したがって、屈曲部２４においては、第２押圧部３２よりも先端側の部分が閉塞面Ａへ向けて押し上げられることになり、屈曲部２４と閉塞面Ａとの間に隙間が生じるのが防止される。また、第１押圧部３０および第２押圧部３２と条溝４２との接触部に生じる摩擦力によって、蓋体１８から箱体１６が抜け落ちるのが防止される。
【００２７】
この実施例によれば、屈曲部２４を屈曲させることによって箸１２の端部を箱体１６の外部へ露出させることができるので、露出された部分を手で持つことによって箸１２を容易に取り出すことができる。また、蓋体１８で開口１４を閉じたときには、「係止部」としての条溝４２によって屈曲部２４の屈曲が禁止されるので、箸１２が箱体１６の外部へ露出されたり、箱体１６から抜け落ちたりする心配はない。さらに、構成が簡素であり、箱体１６と蓋体１８とを完全に分離することができるので、洗浄の手間を軽減できるとともに製造コストを低減できる。
【００２８】
なお、上述の実施例では、蓋体１８に設けられた条溝４２を「係止部」として機能させるようにしているが、たとえば図１１に示すように、箱体１６に条溝４４ａおよび４４ｂを設けるとともに蓋体１８に突条４６を設け、条溝４４ｂと突条４６とを嵌合させることによって、突条４６を「係止部」として機能させるようにしてもよい。
【００２９】
【発明の効果】
請求項１〜３に記載した発明によれば、箱体の屈曲部を屈曲させることによって箱体の内部に収容された箸の端部を箱体の外部へ露出させることができるので、露出された部分を手で持つことによって箸を容易に取り出すことができる。また、蓋体で開口を閉じたときには、係止部によって屈曲部の屈曲が禁止されるので、箸が箱体の外部へ露出されたり、箱体から抜け落ちたりする心配はない。さらに、箸を持ち上げる機構を設ける必要がないので、洗浄の手間を軽減できるとともに製造コストを低減できる。
【００３０】
請求項２および３に記載した発明によれば、蓋体の条溝が箱体のスライド方向へ延びて形成されており、この条溝に箱体の突条が摺動自在に嵌合されるので、箱体のスライド動作が安定する。また、条溝の一部が係止部として機能するので、条溝とは別に係止部を設ける必要はなく、構成が複雑化するのを防止できる。
【００３１】
請求項３に記載した発明によれば、押圧部で条溝の側面を押圧することによって屈曲部を閉塞面側へ押すことができるので、屈曲部と閉塞面との間に隙間が生じるのを防止できる。
【図面の簡単な説明】
【図１】この発明の一実施例を示す斜視図である。
【図２】蓋体から箱体を引き出した状態を示す斜視図である。
【図３】この発明の一実施例を示す分解斜視図である。
【図４】この発明の一実施例を示す一部断面図である。
【図５】蓋体を示す図である。
【図６】蓋体を示す図である。
【図７】箱体を示す図である。
【図８】箱体を示す図である。
【図９】箸を取り出す方法を示す図である。
【図１０】開口を閉じた状態を示す図である。
【図１１】この発明の他の実施例を示す図である。
【符号の説明】
１０…　箸箱
１２…　箸
１４…　開口
１６…　箱体
１８…　蓋体
２２…　本体部
２４…　屈曲部
２６…　ヒンジ部
２８ａ，２８ｂ…　突条
３０…　第１押圧部
３２…　第２押圧部
３４…　把持部
３６…　蓋板
３８，４０…　側板
４２…　条溝
【図１】
2004113494.tif 000003
【図２】
2004113494.tif 000004
【図３】
2004113494.tif 000005
【図４】
2004113494.tif 000006
【図５】
2004113494.tif 000007
【図６】
2004113494.tif 000008
【図７】
2004113494.tif 000009
【図８】
2004113494.tif 000010
【図９】
2004113494.tif 000011
【図１０】
2004113494.tif 000012
【図１１】
2004113494.tif 000013